(57)【要約】【課題】より確実に、土砂を、低位置搬送部から垂直搬送部を経由して高位置搬送部に搬送することができる搬送装置を提供することを課題とする。【解決手段】低位置搬送部１ａと垂直搬送部１ｂとの境界部分において搬送経路が水平方向から垂直方向に緩やかに屈曲するように構成され、垂直搬送部１ｂと高位置搬送部１ｃとの境界部分において搬送経路が垂直方向から水平方向に緩やかに屈曲するように構成される第一ベルトコンベア１０と、第一ベルトコンベア１０に平行するように配置される第二ベルトコンベア２０と、案内部３０と、を具備し、案内部３０において第二ベルトコンベア２０における一対の蛇腹部材２５・２５間の幅よりも狭く位置するように案内された土砂５０を、その仕切り板２６、蛇腹部材２５、ベルト２１、および、第一ベルトコンベア１０のベルト１１の搬送面１２、で形成される空間内に配置した状態で搬送する搬送装置１とする。【選択図】図１
2015163555.tif 000002
【特許請求の範囲】
【請求項１】
低位置搬送部において土砂を低位置で水平方向に搬送し、前記低位置搬送部で搬送した土砂を垂直搬送部において垂直方向に上昇するように搬送し、前記垂直搬送部で搬送した土砂を高位置搬送部において前記低位置搬送部よりも高位置で水平方向に搬送する、搬送装置であって、
前記低位置搬送部と前記垂直搬送部との境界部分において搬送経路が水平方向から垂直方向に緩やかに屈曲するように構成され、前記垂直搬送部と前記高位置搬送部との境界部分において搬送経路が垂直方向から水平方向に緩やかに屈曲するように構成される、第一ベルトコンベアと、
ベルトの両縁部より内側の部分において前記ベルトの搬送面から前記第一ベルトコンベア側に突出するようにそれぞれ前記ベルトの搬送面側に搬送方向に沿って配置される一対の蛇腹部材と、前記一対の蛇腹部材間を亘るとともに前記第一ベルトコンベア側に突出するようにそれぞれ前記ベルトの搬送面側に配置される複数個の仕切り板と、を備え、前記低位置搬送部と前記垂直搬送部との境界部分において搬送経路が水平方向から垂直方向に緩やかに屈曲するように構成され、前記垂直搬送部と前記高位置搬送部との境界部分において搬送経路が垂直方向から水平方向に緩やかに屈曲するように構成されるとともに、前記ベルトの搬送面の一部が前記第一ベルトコンベアにおけるベルトの搬送面の一部と互い向き合って前記第一ベルトコンベアに平行するように配置される、第二ベルトコンベアと、
を具備し、
前記第一ベルトコンベアは、前記低位置搬送部と前記垂直搬送部との境界部分に、前記ベルトの前記搬送面と反対側の面側に向かって前記搬送面の両縁部を押える複数のローラを備え、
前記第一ベルトコンベアは、前記垂直搬送部と前記高位置搬送部との境界部分に、前記ベルトの前記搬送面側に向かって前記搬送面と反対側の面を押える複数のローラを備え、
前記第二ベルトコンベアは、前記低位置搬送部と前記垂直搬送部との境界部分に、前記ベルトの前記搬送面側に向かって前記搬送面と反対側の面を押える複数のローラを備え、
前記第二ベルトコンベアは、前記低位置搬送部と前記垂直搬送部との境界部分に、前記ベルトの前記搬送面と反対側の面側に向かって前記搬送面の両縁部を押える複数のローラを備え、
前記第一ベルトコンベアにおける前記低位置搬送部と前記垂直搬送部との境界部分の搬送経路、および、前記垂直搬送部と前記高位置搬送部との境界部分の搬送経路が、略１／４円弧状に緩やかに屈曲するように前記ローラが配置され、
前記第二ベルトコンベアにおける前記低位置搬送部と前記垂直搬送部との境界部分の搬送経路、および、前記垂直搬送部と前記高位置搬送部との境界部分の搬送経路が、略１／４円弧状に緩やかに屈曲するように前記ローラが配置され、
前記第一ベルトコンベアの前記ベルトの前記搬送面と前記第二ベルトコンベアの前記ベルトの前記搬送面との距離が、前記低位置搬送部、前記低位置搬送部と前記垂直搬送部との境界部分、前記垂直搬送部、前記垂直搬送部と前記高位置搬送部との境界部分、および、前記高位置搬送部、において、略等距離となるように構成される、搬送装置。
【請求項２】
前記第一ベルトコンベアのベルトの搬送面上に載置されて前記低位置搬送部と前記垂直搬送部との境界部分に向かって搬送される土砂を、前記第二ベルトコンベアにおける一対の蛇腹部材間の幅よりも狭く位置するように案内する案内部を備え、
前記案内部において前記第二ベルトコンベアにおける一対の蛇腹部材間の幅よりも狭く位置するように案内された土砂を、前記第二ベルトコンベアにおける前記仕切り板、前記蛇腹部材、前記ベルト、および、前記第一ベルトコンベアのベルトの搬送面、で形成される空間内に配置した状態で、前記低位置搬送部から前記垂直搬送部を経由して前記高位置搬送部に搬送し、
前記案内部は、前記第一ベルトコンベアにおけるベルトの搬送面の両縁部にそれぞれ沿うようにベルトの搬送面の上方にそれぞれ設けられ、前記第一ベルトコンベアにおけるベルトの搬送面の上方に載置されて前記低位置搬送部と前記垂直搬送部との境界部分側に搬送される土砂のうち前記第一ベルトコンベアにおけるベルトの両縁部上に配置される土砂が、互いに向き合う面に接触可能なようにそれぞれ配置される、一対の案内部材を有して構成され、
前記一対の案内部材は、前記案内部材の前記低位置搬送部と前記垂直搬送部との境界部分側の端部における互いに向き合う面の幅が前記案内部材の前記低位置搬送部と前記垂直搬送部との境界部分側の端部と反対側の端部における互いに向き合う面の幅に比べて狭くなるようにそれぞれ配置されるとともに、前記案内部材の前記低位置搬送部と前記垂直搬送部との境界部分側の端部における互いに向き合う面の幅が、前記第二ベルトコンベアにおける前記仕切り板の幅より狭くなるようにそれぞれ配置され、
前記一対の案内部は、少なくとも互いに向き合う面の一部が搬送方向に対して傾斜してそれぞれ形成される、
請求項１に記載の搬送装置。
【発明の詳細な説明】
【技術分野】
【０００１】
本発明は、搬送装置の技術に関する。
【背景技術】
【０００２】
従来、低位置搬送部において土砂を低位置で水平方向に搬送し、前記低位置搬送部で搬送した土砂を垂直搬送部において垂直方向に上昇するように搬送し、前記垂直搬送部で搬送した土砂を高位置搬送部において前記低位置搬送部よりも高位置で水平方向に搬送する、搬送装置の技術は公知となっている（特許文献１参照）。
【０００３】
このような搬送装置は、第一ベルトコンベアと、第二ベルトコンベアと、を具備する。
当該搬送装置の第二ベルトコンベアは、そのベルトの搬送面の一部が第一ベルトコンベアにおけるベルトの搬送面の一部と互い向き合って第一ベルトコンベアに平行するように配置される。
当該搬送装置の第一ベルトコンベアおよび第二ベルトコンベアは、低位置搬送部と垂直搬送部との境界部分において搬送経路が水平方向から垂直方向に屈曲するようにそれぞれ構成され、垂直搬送部と高位置搬送部との境界部分において搬送経路が垂直方向から水平方向に屈曲するようにそれぞれ構成される。
また、当該搬送装置の第二ベルトコンベアは、そのベルトの両縁部より内側の部分においてベルトの搬送面から第一ベルトコンベア側に突出するようにそれぞれベルトの搬送面側に搬送方向に沿って配置される一対の蛇腹部材と、一対の蛇腹部材間を亘るとともに第一ベルトコンベア側に突出するようにそれぞれベルトの搬送面側に配置される複数個の仕切り板と、を備える。
【０００４】
そして、このように構成された搬送装置では、土砂を、第二ベルトコンベアにおける前記仕切り板、前記蛇腹部材、前記ベルト、および、第一ベルトコンベアのベルトの搬送面、で形成される空間内に配置した状態で、低位置搬送部から垂直搬送部を経由して高位置搬送部に搬送する。
【先行技術文献】
【特許文献】
【０００５】
【特許文献１】特開平６−７２５５６号公報
【発明の概要】
【発明が解決しようとする課題】
【０００６】
しかしながら、このような搬送装置は、第二ベルトコンベアにおける一対の蛇腹部材間の幅が、第一ベルトコンベアのベルトの幅よりも狭くなるように構成される。
このため、搬送装置では、土砂を、第二ベルトコンベアにおける仕切り板、蛇腹部材、ベルト、および、第一ベルトコンベアのベルトの搬送面、で形成される空間内に配置する際に、土砂が配置される場所によっては、当該空間内に配置されずに第一ベルトコンベアのベルトの搬送面上から脱落するものがある。
【０００７】
また、このような搬送装置は、低位置搬送部と垂直搬送部との境界部分の搬送経路、および、垂直搬送部と高位置搬送部との境界部分の搬送経路は、それぞれ急角度で屈曲するように構成される。
このため、低位置搬送部と垂直搬送部との境界部分の搬送経路、および、垂直搬送部と高位置搬送部との境界部分では、第一ベルトコンベアのベルトと第二ベルトコンベアのベルトとの間の間隔が広くなって、第二ベルトコンベアにおける仕切り板、蛇腹部材、ベルト、および、第一ベルトコンベアのベルトで形成される空間内に配置された土砂が、第二ベルトコンベアにおける仕切り板および蛇腹部材と第一ベルトコンベアのベルトとの隙間から脱落するものがある。
【０００８】
このようにして、従来における搬送装置では、第二ベルトコンベアにおける仕切り板、蛇腹部材、ベルト、および、第一ベルトコンベアのベルトの搬送面、で形成される空間内に土砂が配置されず、また、当該空間内に配置された土砂が第二ベルトコンベアにおける仕切り板および蛇腹部材と第一ベルトコンベアのベルトとの隙間から脱落することによって、確実に、当該土砂を、低位置搬送部から垂直搬送部を経由して高位置搬送部に搬送することができない場合がある。
【０００９】
本発明は以上の如き状況に鑑みてなされたものであり、より確実に、土砂を、低位置搬送部から垂直搬送部を経由して高位置搬送部に搬送することができる搬送装置を提供することを課題とする。
【課題を解決するための手段】
【００１０】
本発明の解決しようとする課題は以上の如くであり、次にこの課題を解決するための手段を説明する。
【００１１】
即ち、請求項１においては、低位置搬送部において土砂を低位置で水平方向に搬送し、前記低位置搬送部で搬送した土砂を垂直搬送部において垂直方向に上昇するように搬送し、前記垂直搬送部で搬送した土砂を高位置搬送部において前記低位置搬送部よりも高位置で水平方向に搬送する、搬送装置であって、
前記低位置搬送部と前記垂直搬送部との境界部分において搬送経路が水平方向から垂直方向に緩やかに屈曲するように構成され、前記垂直搬送部と前記高位置搬送部との境界部分において搬送経路が垂直方向から水平方向に緩やかに屈曲するように構成される、第一ベルトコンベアと、
ベルトの両縁部より内側の部分において前記ベルトの搬送面から前記第一ベルトコンベア側に突出するようにそれぞれ前記ベルトの搬送面側に搬送方向に沿って配置される一対の蛇腹部材と、前記一対の蛇腹部材間を亘るとともに前記第一ベルトコンベア側に突出するようにそれぞれ前記ベルトの搬送面側に配置される複数個の仕切り板と、を備え、前記低位置搬送部と前記垂直搬送部との境界部分において搬送経路が水平方向から垂直方向に緩やかに屈曲するように構成され、前記垂直搬送部と前記高位置搬送部との境界部分において搬送経路が垂直方向から水平方向に緩やかに屈曲するように構成されるとともに、前記ベルトの搬送面の一部が前記第一ベルトコンベアにおけるベルトの搬送面の一部と互い向き合って前記第一ベルトコンベアに平行するように配置される、第二ベルトコンベアと、
を具備し、
前記第一ベルトコンベアは、前記低位置搬送部と前記垂直搬送部との境界部分に、前記ベルトの前記搬送面と反対側の面側に向かって前記搬送面の両縁部を押える複数のローラを備え、
前記第一ベルトコンベアは、前記垂直搬送部と前記高位置搬送部との境界部分に、前記ベルトの前記搬送面側に向かって前記搬送面と反対側の面を押える複数のローラを備え、
前記第二ベルトコンベアは、前記低位置搬送部と前記垂直搬送部との境界部分に、前記ベルトの前記搬送面側に向かって前記搬送面と反対側の面を押える複数のローラを備え、
前記第二ベルトコンベアは、前記低位置搬送部と前記垂直搬送部との境界部分に、前記ベルトの前記搬送面と反対側の面側に向かって前記搬送面の両縁部を押える複数のローラを備え、
前記第一ベルトコンベアにおける前記低位置搬送部と前記垂直搬送部との境界部分の搬送経路、および、前記垂直搬送部と前記高位置搬送部との境界部分の搬送経路が、略１／４円弧状に緩やかに屈曲するように前記ローラが配置され、
前記第二ベルトコンベアにおける前記低位置搬送部と前記垂直搬送部との境界部分の搬送経路、および、前記垂直搬送部と前記高位置搬送部との境界部分の搬送経路が、略１／４円弧状に緩やかに屈曲するように前記ローラが配置され、
前記第一ベルトコンベアの前記ベルトの前記搬送面と前記第二ベルトコンベアの前記ベルトの前記搬送面との距離が、前記低位置搬送部、前記低位置搬送部と前記垂直搬送部との境界部分、前記垂直搬送部、前記垂直搬送部と前記高位置搬送部との境界部分、および、前記高位置搬送部、において、略等距離となるように構成される、ものである。
【００１２】
請求項２においては、前記第一ベルトコンベアのベルトの搬送面上に載置されて前記低位置搬送部と前記垂直搬送部との境界部分に向かって搬送される土砂を、前記第二ベルトコンベアにおける一対の蛇腹部材間の幅よりも狭く位置するように案内する案内部を備え、
前記案内部において前記第二ベルトコンベアにおける一対の蛇腹部材間の幅よりも狭く位置するように案内された土砂を、前記第二ベルトコンベアにおける前記仕切り板、前記蛇腹部材、前記ベルト、および、前記第一ベルトコンベアのベルトの搬送面、で形成される空間内に配置した状態で、前記低位置搬送部から前記垂直搬送部を経由して前記高位置搬送部に搬送し、
前記案内部は、前記第一ベルトコンベアにおけるベルトの搬送面の両縁部にそれぞれ沿うようにベルトの搬送面の上方にそれぞれ設けられ、前記第一ベルトコンベアにおけるベルトの搬送面の上方に載置されて前記低位置搬送部と前記垂直搬送部との境界部分側に搬送される土砂のうち前記第一ベルトコンベアにおけるベルトの両縁部上に配置される土砂が、互いに向き合う面に接触可能なようにそれぞれ配置される、一対の案内部材を有して構成され、
前記一対の案内部材は、前記案内部材の前記低位置搬送部と前記垂直搬送部との境界部分側の端部における互いに向き合う面の幅が前記案内部材の前記低位置搬送部と前記垂直搬送部との境界部分側の端部と反対側の端部における互いに向き合う面の幅に比べて狭くなるようにそれぞれ配置されるとともに、前記案内部材の前記低位置搬送部と前記垂直搬送部との境界部分側の端部における互いに向き合う面の幅が、前記第二ベルトコンベアにおける前記仕切り板の幅より狭くなるようにそれぞれ配置され、
前記一対の案内部は、少なくとも互いに向き合う面の一部が搬送方向に対して傾斜してそれぞれ形成される、ものである。
【発明の効果】
【００１３】
本発明の効果として、以下に示すような効果を奏する。
即ち、本発明によれば、より確実に、土砂を、低位置搬送部から垂直搬送部を経由して高位置搬送部に搬送することができる。
【図面の簡単な説明】
【００１４】
【図１】本発明の実施形態に係る搬送装置の全体的な構成を示した側面模式図。
【図２】同じく低位置搬送部と垂直搬送部との境界部分の搬送経路を示した斜視図。
【図３】同じく垂直搬送部と高位置搬送部との境界部分の搬送経路を示した斜視図。
【図４】同じく第二ベルトコンベアを示した一部拡大斜視図。
【図５】同じく案内部を示した一部拡大背面図。
【図６】同じく一部拡大平面図。
【図７】同じく土砂を垂直方向に搬送する状態を示した一部拡大正面図。
【発明を実施するための形態】
【００１５】
次に図１から図７を用いて、本発明の実施形態に係る搬送装置１について説明する。
搬送装置１は、図１に示すように、土砂５０を搬送する装置であり、低位置搬送部１ａと、垂直搬送部１ｂと、高位置搬送部１ｃと、を具備する。
搬送装置１では、低位置搬送部１ａの下流側に垂直搬送部１ｂが連続するように配置され、垂直搬送部１ｂの下流側に高位置搬送部１ｃが連続するように配置される。
搬送装置１の低位置搬送部１ａは、垂直搬送部１ｂおよび高位置搬送部１ｃより、土砂５０の搬送方向の上流側に配置される。搬送装置１の垂直搬送部１ｂは、高位置搬送部１ｃより、土砂５０の搬送方向の上流側に配置される。
【００１６】
搬送装置１は、土砂５０を、低位置搬送部１ａから垂直搬送部１ｂを経由して高位置搬送部１ｃ（上流側から下流側）に搬送する。なお、以下において、図中に示す白色矢印は、土砂５０の搬送方向を示す。
搬送装置１は、その低位置搬送部１ａにおいて、土砂５０を、垂直搬送部１ｂおよび高位置搬送部１ｃよりも低位置で水平方向に搬送する。搬送装置１は、その低位置搬送部１ａで搬送した土砂５０を、垂直搬送部１ｂにおいて垂直方向に上昇するように搬送する。搬送装置１は、その垂直搬送部１ｂにおいて搬送された土砂５０を、高位置搬送部１ｃにおいて低位置搬送部１ａよりも高位置で水平方向に搬送する。
【００１７】
搬送装置１は、第一ベルトコンベア１０と、第二ベルトコンベア２０と、案内部３０と、を具備する。
【００１８】
第一ベルトコンベア１０は、そのベルト１１の搬送面１２が平面状（搬送面１２に仕切りが無いように）に構成される無端状のベルトコンベアである。第一ベルトコンベア１０は、図示しないフレームによって支持される。
第一ベルトコンベア１０の低位置搬送部１ａおよび高位置搬送部１ｃでは、土砂５０は、そのベルト１１上（ベルト１１の搬送面１２）に載置されて搬送される。
【００１９】
第二ベルトコンベア２０は、そのベルト２１の搬送面２２に仕切りを有するように構成される無端状のベルトコンベアである。第二ベルトコンベア２０は、図示しないフレームによって支持される。
第二ベルトコンベア２０は、第二ベルトコンベア２０におけるベルト２１の搬送面２２の一部が第一ベルトコンベア１０におけるベルト１１の搬送面１２の一部と互い向き合って第一ベルトコンベア１０に平行するように配置される。
第二ベルトコンベア２０は、そのベルト２１の搬送面２２と第一ベルトコンベア１０のベルト１１の搬送面１２との距離が、低位置搬送部１ａ、低位置搬送部１ａと垂直搬送部１ｂとの境界部分、垂直搬送部１ｂ、垂直搬送部１ｂと高位置搬送部１ｃとの境界部分、および、高位置搬送部１ｃ、において、略等距離となるように配置される。
第二ベルトコンベア２０は、その搬送方向が、第一ベルトコンベア１０における土砂５０の搬送方向と同一方向となるように構成される。第二ベルトコンベア２０は、その搬送速度が第一ベルトコンベア１０の搬送速度に同期するように構成される。
【００２０】
第二ベルトコンベア２０は、これの搬送始端位置が第一ベルトコンベア１０の搬送始端位置よりも垂直搬送部１ｂ側となるように構成される。第二ベルトコンベア２０は、また、これの搬送終端位置が第一ベルトコンベア１０の搬送終端位置よりも垂直搬送部１ｂ側となるように構成される。つまり、搬送装置１では、第一ベルトコンベア１０は、その搬送経路が、第一ベルトコンベア１０の搬送経路に比べて短くなるように構成される。このようにして、搬送装置１は、低位置搬送部１ａおよび高位置搬送部１ｃにおいては、第一ベルトコンベア１０におけるベルト１１の搬送面１２の一部が露出するように構成される。
【００２１】
第一ベルトコンベア１０は、低位置搬送部１ａと垂直搬送部１ｂとの境界部分において、その搬送経路が水平方向から垂直方向（上方）に屈曲するように構成される（図２参照）。
第一ベルトコンベア１０は、垂直搬送部１ｂと高位置搬送部１ｃとの境界部分において、その搬送経路が垂直方向から水平方向に屈曲するように構成される（図３参照）。
【００２２】
第一ベルトコンベア１０は、その低位置搬送部１ａと垂直搬送部１ｂとの境界部分に、そのベルト１１の搬送面１２を押える複数のローラ１３・１３・・・を備える。第一ベルトコンベア１０における低位置搬送部１ａと垂直搬送部１ｂとの境界部分の複数のローラ１３・１３・・・は、そのベルト１１の搬送面１２の両縁部を、搬送面１２と反対側の面側に向かって押えるようにして配置される（図２参照）。
第一ベルトコンベア１０は、その垂直搬送部１ｂと高位置搬送部１ｃとの境界部分に、そのベルト１１の搬送面１２と反対側の面を押える複数のローラ１４・１４・・・を備える。第一ベルトコンベア１０における垂直搬送部１ｂと高位置搬送部１ｃとの境界部分の複数のローラ１４・１４・・・は、そのベルト１１の搬送面１２と反対側の面を、搬送面１２側に向かって押えるようにして配置される（図３参照）。
【００２３】
第二ベルトコンベア２０は、低位置搬送部１ａと垂直搬送部１ｂとの境界部分において、その搬送経路が水平方向から垂直方向（上方）に屈曲するように構成される（図２参照）。
第二ベルトコンベア２０は、垂直搬送部１ｂと高位置搬送部１ｃとの境界部分において、その搬送経路が垂直方向から水平方向に屈曲するように構成される（図３参照）。
【００２４】
第二ベルトコンベア２０は、その低位置搬送部１ａと垂直搬送部１ｂとの境界部分に、そのベルト２１の搬送面２２と反対側の面を押える複数のローラ２３・２３・・・を備える。第二ベルトコンベア２０における低位置搬送部１ａと垂直搬送部１ｂとの境界部分の複数のローラ２３・２３・・・は、そのベルト２１の搬送面２２と反対側の面を、搬送面２２側に向かって押えるようにして配置される（図２参照）。
第二ベルトコンベア２０は、その垂直搬送部１ｂと高位置搬送部１ｃとの境界部分に、そのベルト２１の搬送面２２を押える複数のローラ２４・２４・・・を備える。第二ベルトコンベア２０における垂直搬送部１ｂと高位置搬送部１ｃとの境界部分の複数のローラ２４・２４・・・は、そのベルト２１の搬送面２２の両縁部を、搬送面２２と反対側の面側に向かって押えるようにして配置される（図３参照）。
【００２５】
第二ベルトコンベア２０は、図４に示すように、ベルト２１と、一対の蛇腹部材２５・２５と、複数個の仕切り板２６・２６・・・と、を備える。
【００２６】
第二ベルトコンベア２０における一対の蛇腹部材２５・２５は、ベルト２１の両縁部より内側の部分において、ベルト２１の搬送面から第一ベルトコンベア１０側に突出するように、それぞれベルト２１の搬送面２２側に搬送方向に沿って（当該量縁部に沿うようにして）配置される。第二ベルトコンベア２０における一対の蛇腹部材２５・２５は、その一部の突出側先端が当該第一ベルトコンベア１０におけるベルト１１の搬送面１２に当接するようにして構成される。
第二ベルトコンベア２０における一対の蛇腹部材２５・２５は、その垂直搬送部１ｂと高位置搬送部１ｃとの境界部分においてベルト２１の両縁部を押えるローラ２４・２４より、内側に配置される。また、第二ベルトコンベア２０における一対の蛇腹部材２５・２５は、第一ベルトコンベア１０の低位置搬送部１ａと垂直搬送部１ｂとの境界部分においてベルト１１の両縁部を押えるローラ１４・１４より、内側に配置される。
第二ベルトコンベア２０における蛇腹部材２５は、ゴム素材からなる蛇腹状の部材であり、低位置搬送部１ａと垂直搬送部１ｂとの境界部分、および、垂直搬送部１ｂと高位置搬送部１ｃとの境界部分において、屈曲する搬送経路に合わせて変形可能に構成される。
【００２７】
第二ベルトコンベア２０における複数個の仕切り板２６・２６・・・は、板状の部材であり、一対の蛇腹部材２５・２５間を亘るとともに第一ベルトコンベア１０側に突出するように、それぞれベルト１１の搬送面１２側に配置される。第二ベルトコンベア２０における複数個の仕切り板２６・２６・・・は、一部の突出側先端が当該第一ベルトコンベア１０におけるベルト１１の搬送面１２に当接するようにして構成される。
【００２８】
案内部３０は、図１に示すように、低位置搬送部１ａにおいて第一ベルトコンベア１０のベルト１１の搬送面１２上に載置されて低位置搬送部１ａと垂直搬送部１ｂとの境界部分に向かって搬送される土砂５０を、第二ベルトコンベア２０における一対の蛇腹部材２５・２５間の幅よりも狭く位置するように案内する。
案内部３０は、第一ベルトコンベア１０における低位置搬送部１ａの搬送始端位置近傍（第一ベルトコンベア１０の搬送面１２が露出する部分）の土砂５０が配置される箇所よりも下流側であって、低位置搬送部１ａと垂直搬送部１ｂとの境界部分および第二ベルトコンベア２０の搬送始端位置よりも上流側に配置される。
【００２９】
このように構成された搬送装置１では、低位置搬送部１ａにおける第一ベルトコンベア１０の搬送始端位置近傍のベルト１１の搬送面１２上（第一ベルトコンベア１０の搬送面１２が露出する部分）であって、案内部３０の上流側に、土砂５０を配置してこれを下流側に搬送する。
そして、第二ベルトコンベア２０の搬送始端位置まで前記土砂５０が搬送されると、当該土砂５０は、第二ベルトコンベア２０における仕切り板２６・２６・・・によって仕切られた状態となる。
当該土砂５０は、第二ベルトコンベア２０における仕切り板２６・２６、蛇腹部材２５・２５、ベルト２１、および、第一ベルトコンベア１０のベルト１１の搬送面１２で形成される空間内に閉じ込めた（収納した）ように配置される（図５参照）。
搬送装置１では、係る状態で、下流側に（低位置搬送部１ａから垂直搬送部１ｂを経由して高位置搬送部１ｃに）搬送する。
このようにして、搬送装置１では、土砂５０を、低位置において水平方向に搬送し、次いで当該土砂５０を垂直方向に上昇するように搬送し、さらに当該土砂５０を高位置において水平方向に搬送する。
【００３０】
ここで、前記第一ベルトコンベア１０の搬送始端位置近傍のベルト１１の搬送面１２上に載置されて下流側に搬送される土砂５０は、案内部３０を経由して低位置搬送部１ａと垂直搬送部１ｂとの境界部分側に搬送される。このため、案内部３０を経由して搬送された土砂５０は、当該案内部３０によって、第二ベルトコンベア２０における一対の蛇腹部材２５・２５間の幅よりも狭く位置した状態となる。
このため、搬送装置１では、第一ベルトコンベア１０の搬送面１２上に配置されて搬送される土砂５０を、垂直搬送部１ｂにおいて、第二ベルトコンベア２０における仕切り板２６・２６、蛇腹部材２５・２５、ベルト２１、および、第一ベルトコンベア１０のベルト１１で形成される空間内に確実に配置することができるように搬送することができる。
したがって、搬送装置１によれば、より確実に、土砂５０を低位置搬送部１ａから垂直搬送部１ｂを経由して高位置搬送部１ｃに搬送することができる。
【００３１】
また、案内部３０は、図６または図７に示すように、左右対称の一対の案内部材３１・３１を有して構成される。
案内部３０の一対の案内部材３１・３１は、低位置搬送部１ａと垂直搬送部１ｂとの境界部分よりも上流側に、に配置される。
案内部３０の一対の案内部材３１・３１は、第一ベルトコンベア１０におけるベルト１１の搬送面１２の両縁部にそれぞれ沿うように（搬送方向に沿うように）ベルト１１の搬送面１２の上方にそれぞれ設けられる。
案内部３０の一対の案内部材３１・３１は、第一ベルトコンベア１０におけるベルト１１の搬送面１２の上方に壁が立設するようにしてそれぞれ配置され、フレームによって支持される。
案内部３０の一対の案内部材３１・３１は、第一ベルトコンベア１０におけるベルト１１の搬送面１２の上方を挟むようにベルト１１の搬送面１２の上方にそれぞれ配置される。
【００３２】
案内部３０の一対の案内部材３１・３１は、互いに向き合う面の形状が平面視で略クランク状にそれぞれ形成される。
案内部３０の一対の案内部材３１・３１は、少なくとも互いに向き合う面の一部が、搬送方向に対して、傾斜するようにそれぞれ構成される。
案内部３０の一対の案内部材３１・３１は、互いに向き合う面の一部が、低位置搬送部１ａと垂直搬送部１ｂとの境界部分側が内側、且つ、第一ベルトコンベア１０における低位置搬送部１ａの搬送始端位置近傍側が外側に傾斜するようにそれぞれ形成される。
つまり、案内部３０の一対の案内部材３１・３１は、これの低位置搬送部１ａと垂直搬送部１ｂとの境界部分側の端部における互いに向き合う面の幅が、これの低位置搬送部１ａと垂直搬送部１ｂとの境界部分側の端部と反対側の端部（第一ベルトコンベア１０の低位置搬送部１ａにおける搬送始端位置近傍側の端部）における互いに向き合う面の幅に比べて狭くなるようにそれぞれ配置される。
【００３３】
案内部３０の一対の案内部材３１・３１は、第一ベルトコンベア１０におけるベルト１１の搬送面１２の上方に載置されて低位置搬送部１ａと垂直搬送部１ｂとの境界部分側に搬送される土砂５０のうちベルト１１の両縁部上に配置される土砂５０が、案内部材３１・３１の互いに向き合う面（少なくともこれのうち前記傾斜する部分）に接触可能なように、それぞれ配置される。
【００３４】
案内部３０の一対の案内部３０材は、これの低位置搬送部１ａと垂直搬送部１ｂとの境界部分側の端部における互いに向き合う面の幅が、第二ベルトコンベア２０における仕切り板２６の幅より狭くなるようにそれぞれ配置される。
案内部３０の一対の案内部材３１・３１は、これの低位置搬送部１ａと垂直搬送部１ｂとの境界部分側の端部における互いに向き合う面の幅が、第二ベルトコンベア２０における一対の蛇腹部材２５・２５間の幅よりも狭くなるようにそれぞれ配置される。
【００３５】
このように構成された搬送装置１では、低位置搬送部１ａにおいて第一ベルトコンベア１０のベルト１１の搬送面１２上に載置されて低位置搬送部１ａと垂直搬送部１ｂとの境界部分に向かって搬送される土砂５０は、案内部３０の案内部材３１・３１の互いに向き合う面の傾斜する部分に接触して、第二ベルトコンベア２０における一対の蛇腹部材２５・２５間の幅（仕切り板２６の幅）よりも狭く位置するように案内される。
したがって、第一ベルトコンベア１０の搬送面１２上に配置されて搬送される土砂５０を、垂直搬送部１ｂにおいて、第二ベルトコンベア２０における仕切り板２６・２６、蛇腹部材２５・２５、ベルト２１、および、第一ベルトコンベア１０のベルト１１で形成される空間内に確実に配置されるように搬送することができる、搬送装置１を、簡易構造で実現することができる。
【００３６】
また、図１乃至図３に示すように、第一ベルトコンベア１０における低位置搬送部１ａと垂直搬送部１ｂとの境界部分、および、垂直搬送部１ｂと高位置搬送部１ｃとの境界部分では、これらの搬送経路がそれぞれ緩やかに屈曲するように構成される。
第二ベルトコンベア２０における低位置搬送部１ａと垂直搬送部１ｂとの境界部分、および、垂直搬送部１ｂと高位置搬送部１ｃとの境界部分では、これらの搬送経路がそれぞれ緩やかに屈曲するように構成される。
【００３７】
このように搬送装置１では、第一ベルトコンベア１０における低位置搬送部１ａと垂直搬送部１ｂとの境界部分の搬送経路、および、垂直搬送部１ｂと高位置搬送部１ｃとの境界部分の搬送経路が、それぞれ緩やかに屈曲するように構成され、第二ベルトコンベア２０における低位置搬送部１ａと垂直搬送部１ｂとの境界部分の搬送経路、および、垂直搬送部１ｂと高位置搬送部１ｃとの境界部分の搬送経路が、それぞれ緩やかに屈曲するように構成される。
また、搬送装置１は、その第一ベルトコンベア１０のベルト１１の搬送面１２と第二ベルトコンベア２０のベルト２１の搬送面２２との距離が、低位置搬送部１ａ、低位置搬送部１ａと垂直搬送部１ｂとの境界部分、垂直搬送部１ｂ、垂直搬送部１ｂと高位置搬送部１ｃとの境界部分、および、高位置搬送部１ｃ、において、略等距離となるように構成される。
このため、搬送装置１では、低位置搬送部１ａと垂直搬送部１ｂとの境界部分、および、垂直搬送部１ｂと高位置搬送部１ｃとの境界部分において、第二ベルトコンベア２０における仕切り板２６・２６および蛇腹部材２５・２５と第一ベルトコンベア１０のベルト１１との間に隙間が生じにくい構成となっている。
【００３８】
したがって、搬送装置１では、低位置搬送部１ａと垂直搬送部１ｂとの境界部分、および、垂直搬送部１ｂと高位置搬送部１ｃとの境界部分において、第二ベルトコンベア２０における仕切り板２６、蛇腹部材２５、ベルト２１、および、第一ベルトコンベア１０のベルト１１で形成される空間内に配置された土砂５０が、第二ベルトコンベア２０における仕切り板２６・２６および蛇腹部材２５・２５と第一ベルトコンベア１０のベルト１１との隙間から脱落することを抑制することができる。
よって、搬送装置１によれば、より確実に、土砂５０を低位置搬送部１ａから垂直搬送部１ｂを経由して高位置搬送部１ｃに搬送することができる。
【００３９】
さらに、図１乃至図３に示すように、第一ベルトコンベア１０における低位置搬送部１ａと垂直搬送部１ｂとの境界部分の複数のローラ１３・１３・・・は、その搬送経路が略１／４円弧状に屈曲するように配置される。第一ベルトコンベア１０における垂直搬送部１ｂと高位置搬送部１ｃとの境界部分の複数のローラ１４・１４・・・は、その搬送経路が略１／４円弧状に屈曲するように配置される。
第二ベルトコンベア２０における低位置搬送部１ａと垂直搬送部１ｂとの境界部分の複数のローラ２３・２３・・・は、その搬送経路が略１／４円弧状に屈曲するように配置される。第二ベルトコンベア２０における垂直搬送部１ｂと高位置搬送部１ｃとの境界部分の複数のローラ２４・２４・・・は、その搬送経路が略１／４円弧状に屈曲するように配置される。
【００４０】
このように搬送装置１では、第一ベルトコンベア１０における低位置搬送部１ａと垂直搬送部１ｂとの境界部分の搬送経路、および、垂直搬送部１ｂと高位置搬送部１ｃとの境界部分の搬送経路が、略１／４円弧状に緩やかに屈曲するように構成され、第二ベルトコンベア２０における低位置搬送部１ａと垂直搬送部１ｂとの境界部分の搬送経路、および、垂直搬送部１ｂと高位置搬送部１ｃとの境界部分の搬送経路が、略１／４円弧状に緩やかに屈曲するように構成される。
また、搬送装置１は、その第一ベルトコンベア１０のベルト１１の搬送面１２と第二ベルトコンベア２０のベルト２１の搬送面２２との距離が、低位置搬送部１ａ、低位置搬送部１ａと垂直搬送部１ｂとの境界部分、垂直搬送部１ｂ、垂直搬送部１ｂと高位置搬送部１ｃとの境界部分、および、高位置搬送部１ｃ、において、略等距離となるように構成される。
このため、搬送装置１では、低位置搬送部１ａと垂直搬送部１ｂとの境界部分、および、垂直搬送部１ｂと高位置搬送部１ｃとの境界部分において、第二ベルトコンベア２０における仕切り板２６・２６および蛇腹部材２５・２５と第一ベルトコンベア１０のベルト１１との間に隙間がより生じにくい構成となっている。
【００４１】
したがって、搬送装置１では、低位置搬送部１ａと垂直搬送部１ｂとの境界部分、および、垂直搬送部１ｂと高位置搬送部１ｃとの境界部分において、第二ベルトコンベア２０における仕切り板２６・２６、蛇腹部材２５・２５、ベルト２１、および、第一ベルトコンベア１０のベルト１１で形成される空間内に配置された土砂５０が、第二ベルトコンベア２０における仕切り板２６および蛇腹部材２５と第一ベルトコンベア１０のベルト１１との隙間から脱落することをより確実に抑制することができる。
よって、搬送装置１によれば、さらにより確実に、土砂５０を低位置搬送部１ａから垂直搬送部１ｂを経由して高位置搬送部１ｃに搬送することができる。
【符号の説明】
【００４２】
１      搬送装置
１ａ    低位置搬送部
１ｂ    垂直搬送部
１ｃ    高位置搬送部
１０    第一ベルトコンベア
２０    第二ベルトコンベア
２５    蛇腹部材
２６    仕切り板
３０    案内部
【図１】
2015163555.tif 000003
【図２】
2015163555.tif 000004
【図３】
2015163555.tif 000005
【図４】
2015163555.tif 000006
【図５】
2015163555.tif 000007
【図６】
2015163555.tif 000008
【図７】
2015163555.tif 000009